(57)【特許請求の範囲】
【請求項１】
ほぼ水平な回転軸に装着されて回転駆動される内胴と、該内胴を収納した外胴とを具備する洗濯脱水機を定置洗浄する方法において、
前記外胴内へ、前記内胴に接触するレベル若しくはそれよりも高いレベルまで洗浄液を入れた状態で、
上記内胴の中に洗濯物もしくはこれに類似する吸水性の物体を入れて、該内胴を遠心力１Ｇ以上で高速回転させることにより、該内胴に連れて回転する上記洗濯物もしくはこれに類似する吸水性の物体が洗浄液中を通過中に吸収した洗浄液を、洗浄液面から上昇すると回転による遠心力により振り飛ばして上記外胴内面を洗浄することを特徴とする、洗濯脱水機の定置洗浄方法。
【発明の詳細な説明】
【技術分野】
【０００１】
本発明は洗濯脱水機の内部、特に、洗濯物に触れ得る箇所を定置洗浄する方法、及び同装置に関するものである。
【背景技術】
【０００２】
機械装置を洗浄する方式には、分解洗浄（ＣＯＰ）と定置洗浄（ＣＩＰ）とが有る。
定置洗浄（ＣＩＰ：Ｃｌｅａｎｉｎｇ  Ｉｎ  Ｐｌａｃｅ）は、機械装置を分解することなく、その内部で洗浄液を循環させる方式である。
この定置洗浄（ＣＩＰ）は高能率で自動化し易く、かつ大型機械設備にも適用が容易で洗浄薬剤の消費量が少ないという一般的な長所を有しているが、装置内部の隅々まで完全に洗浄することが難しいという問題が有る。特に、微視的な凹部の底まで清浄ならしめることが容易でない。
【０００３】
図４は従来例の洗濯脱水機を示す模式図である。
外胴２の中に、多孔板製の内胴３が配設されている。該内胴３は回転軸５に装着され、軸受６によって支持されている。
上記回転軸５には被動プーリ７が取り付けられていて、ベルト８および駆動プーリ９を介して駆動モータ１０により回転駆動される。
前記の外胴２、軸受６、および駆動モータ１０はフレーム１１に搭載され、緩衝部材を介して支承されている。
符号１を付して示したのはケースであって、洗濯物を出し入れするための開口部、及び該開口部を覆うドア４が設けられている。説明の便宜上、本来的にドア４が設けられている側を洗濯脱水機の前面と呼び、その反対側を背面と呼ぶ。
洗濯物を出し入れするために内胴３を傾ける場合もあるが、その基本姿勢は回転軸５の中心線Ｘ―Ｘを水平にした状態である。本発明において「ほぼ水平な回転軸」とは、基本姿勢が水平であることの意である。
【０００４】
前記外胴２の中に、作業に応じて各種の液体が注入される。上記の液体は主として水であるが、洗剤を調合された洗濯液、すすぎ用のほぼ純粋な水、糊を添加した仕上液などが有り、
さらに、洗浄剤を添加した洗浄液が入れられる場合も有る。
このように、予洗、本洗、すすぎ洗い、仕上げ、洗浄など、各種の操作に応じて適量の液体が外胴２内へ注入される。また、脱水操作の際は液体を注入することなく、外胴内を空にして内胴を回転させる（図６（Ｂ）を参照して後に詳しく説明する）。
【０００５】
図５は、前記の液体を外胴内へ注入する機構を模式的に描いた系統図である。
一般に、外胴２の底面から回転軸５の中心線Ｘ−Ｘまでを１０等分して、１〜３付近を低位、５付近を中位、７付近を高位とし、これらの液面位置を検出するよう、低位液面Ｌには低位液面センサ１５が、中位液面Ｍには中位液面センサ１６が、高位液面Ｈには高位液面センサ１７がそれぞれ設けられている。
各液面センサの検出信号は自動制御装置２０に入力され、該自動制御装置は液ポンプ１３を制御して、所要の液面位置まで液を注入する。
一般にオーバーフローパイプ１９が設けられていて、液面が上がり過ぎないように規制している。該オーバーフローパイプの開口部（溢流入口）は高位液面Ｈ付近に設定され、高くても回転軸５よりは低い位置である。
その理由は、回転軸を超える高レベルまで液をいれても、徒に内胴の回転抵抗を増すだけで、洗濯作業にも、すすぎ作業にも、好適ではないからである。
【０００６】
図６は各種の作業と液面との関係を説明するための模式的な断面図である。
（Ａ）図は洗濯作業もしくはすすぎ作業を描いてある。内胴３を数十ｒｐｍの低速で、すなわち、洗濯物２２に作用する遠心力が１Ｇに達しない回転速度で、付記した円弧矢印のように低速回転させる。
洗濯物２２は内胴によって掻き上げられるが、作用する遠心力が１Ｇ未満であるから、掻き上げ途中で、矢印Ｆのように放物線を描いて落下し、内胴の内壁に叩きつけられる。このときの衝撃と撹拌が洗濯効果やすすぎ効果を発揮する。
上述のような作用で洗濯（又はすすぎ）が行われるので、洗濯液（又はすすぎ液）１２
の液面は、内胴の下部を浸すことが必要であり、回転軸５に達しない程度が好適である。
【０００７】
図６（Ｂ）は脱水作業を描いてある。内胴３を数百ｒｐｍの高速で、すなわち、洗濯物２２に作用する遠心力が１Ｇを超える回転速度で、付記した円弧矢印のように高速回転させる。
洗濯物は遠心力によって内胴の内壁に張り付けられたように密着し、該内胴と一緒に高速回転せしめられる。
洗濯物に含まれている水分は遠心力で振り切られ、水滴（図示省略）となって飛散し、外胴２の内壁を伝って排水２４される。
この脱水作業においては当然に、外胴２の中へ液体を注入することは無い。少なくとも
内胴３に触れ得るレベルまで液を溜めることは有り得ない。
【０００８】
以上に考察したように、従来技術における内胴の回転速度と液面位置との関係は、
イ．内胴が低速回転する時の液面は、内胴の下部を浸す程度、回転軸よりも下方であり、
ロ．内胴が高速回転する時の外胴内には液を入れず、空である（少なくとも、内胴に触れ得るレベルの液面は不可）。
上記の原則を外れることは考えられなかった。
【０００９】
洗濯脱水機にも適用し得る洗浄技術に関しては次の文献が公知である。
特許文献１として挙げた特開２００５−５８７４０号公報に記載された発明は、高温の蒸気によって殺菌するものであり、
特許文献２として挙げた特開平６−２７７３８５号公報に記載された発明、及び、
特許文献３として挙げた特表２００２−５３３１４０号公報に記載された発明は、オゾンによって殺菌する構造である。
また、特許文献４として挙げた特表２００２−５２７２１５号公報に記載された発明は、原子酸素発生装置を設け、原子酸素によって殺菌する構造である。
【特許文献１】特開２００５−５８７４０号公報
【特許文献２】特開平６−２７７３８５号公報
【特許文献３】特表２００２−５３３１４０号公報
【特許文献４】特表２００２−５２７２１５号公報
【発明の開示】
【発明が解決しようとする課題】
【００１０】
洗濯脱水機に適用し得る現実的な清浄手段を大別すると、例えば次亜塩素酸のような薬剤を用いる化学的手段と、洗浄ブラシに代表される物理学的（力学的）手段とが有る。
放射線殺菌は公害防止の方策が現実的でなく、未完成である。
現在の衛生学においては、化学的手段と物理学的（力学的）手段との併用が最も望ましいとされている。
その理由は、例えば殺菌剤によって完全滅菌を達成しても、微量の有機汚物が残存していれば、これを栄養源として再び雑菌が繁殖するからである。
【００１１】
前記の公知技術は何れも化学的殺菌に属し、有機汚物の除去に関しては格別の効果を期待することができない。
こうした観点から、消毒剤に表面活性剤を添加して有機汚物を除去するように配慮されているが、有機汚物の除去は不完全である。
その理由は、外見的には光沢を有する金属製部材であっても、その表面に微視的な凹凸が有り、その凹部に付着している有機汚物の完全除去は至難だからである。
【００１２】
完全な洗浄消毒が困難なことについて、もう一つの理由は、洗濯済みの衣類が未洗濯の衣類に接触する虞れの有ることである。
この問題を、図４について次に説明する。
病院の衛生管理において、汚損ゾーンと清浄ゾーンとの区別が求められる。
例えば図示の面Ｚ−Ｚから左側は人体老廃物や雑菌が存在する虞れの多い汚損ゾーン、
右側は人体老廃物や雑菌の存在を許されない清浄ゾーンであるとする。
ドア４を開いて、矢印Ａのように衣類を内胴３の中へ投入して洗濯・脱水した後、再びドア４から洗濯済みの衣類を矢印Ｂのように取り出すと、せっかく清浄になった衣類が汚染されてしまう。
このような不具合を解消しようとすると、洗濯済みの衣類を矢印Ｃのように、洗濯脱水機から清浄ゾーンへ搬出しなければならない。
【００１３】
以上に考察した衛生管理に関する問題を整理すると次のとおりである。
α．洗濯脱水機の洗浄は、単に薬剤や高温を用いて滅菌消毒するだけでなく、微視的な凹部に付着している有機汚物を機械的に（力学的に）除去しなければならない。
β．洗濯・脱水を終えた洗濯物は、汚染ゾーンを通過させることなく清浄ゾーンへ搬出できなければならない。
（注）有機汚物を化学的に除去できれば、必ずしも力学的方法を併用しなくても良い。しかし、薬液は表面張力を有しており、該薬液と金属表面との「濡れ」の問題が有って、微視的な凹部に付着している有機汚物を薬液の化学的作用のみによって完全に除去することは至難である。
どのような洗浄（消毒）液を用いるにせよ、力学的な汚物除去手段を併用することは、洗浄液の効果を発揮させるために極めて有効であることが期待される。
【００１４】
本発明は以上に述べた事情に鑑みて為されたものであって、その第１の目的は、外胴の内部を流体力学的に洗浄して、微視的な凹部に付着した異物を完全に除去し得る定置洗浄方法、及び定置洗浄装置を提供することである。
また、第２の目的は、洗濯・脱水された洗濯物を汚損する虞れ無く清浄ゾーンへ搬出し得る定置洗浄装置を提供することである。
【課題を解決するための手段】
【００１５】
この［課題を解決するための手段］の欄は、図面との対照が容易なように括弧書きで図面符号を付記してあるが、この括弧付き符号は本発明の構成を図面のとおりに限定するものではない。
請求項１の発明に係る定置洗浄方法は、
（図１参照）ほぼ水平な回転軸（５）に装着されて回転駆動される内胴（３）と、該内胴を収納した外胴（２）とを具備する洗濯脱水機を洗浄する方法において、
当該洗濯脱水機に設定されている洗濯用の液面やすすぎ用の液面（Ｈ，Ｍ，Ｌ）よりも高いレベルに、かつ前記回転軸よりも高い液面（Ｗ）まで、前記外胴内に洗浄液を満たした状態で、
前記の内胴を回転させて洗浄液を撹拌し、該洗浄液に乱流を発生させることによって、
外胴内部を隅々まで洗浄することを特徴とする。
前記の洗浄液として、８０度〜９０度の熱水を用いることもでき、滅菌作用が得られるので望ましい。
【００１６】
請求項２の発明に係る定置洗浄方法は、
（図２参照）ほぼ水平な回転軸（５）に装着されて回転駆動される内胴（３）と、該内胴を収納した外胴（２）とを具備する洗濯脱水機を洗浄する方法において、
前記外胴内へ、前記内胴に接触する液面レベル（Ｗ′）以上まで洗浄液（２１）を入れた状態で、
前記内胴の中に洗濯物、もしくはこれに類似する吸水性の物体（ダミー洗濯物２５）を入れ、該内胴を遠心力１Ｇ以上で高速回転させることを特徴とする。
【００１７】
請求項３の発明に係る洗濯脱水機の定置洗浄装置の構成は、
（図１参照）ほぼ水平な回転軸（５）に装着されて回転駆動される内胴（３）と、該内胴を収納した外胴（２）とを具備する洗濯脱水機において、
洗濯作業用及び又はすすぎ作業用に設定されている液面（Ｈ，Ｍ，Ｌ）よりも高く、かつ前記回転軸よりも高いレベル（Ｗ）に洗浄液面が設定されており、
上記洗浄液面まで洗浄液を満たした状態で前記の内胴を回転せしめ得るようになっていることを特徴とする。
前記の洗浄液として、８０度〜９０度の熱水を用いることもでき、滅菌作用が得られるので望ましい。
【００１８】
請求項４の発明に係る洗濯脱水機の定置洗浄装置の構成は、前記請求項３の発明装置の構成要件に加えて、
（図１参照）前記外胴（２）の中に、洗濯作業用及び又はすすぎ作業用の液面センサ（１５，１６，１７）が設けられるとともに、該外胴の中へ液体を注入する液ポンプ（１３）が設けられていて、
前記液面センサの検出信号を入力されて前記液ポンプを制御する自動制御装置（２０）が設けられており、
前記洗濯作業用及び又はすすぎ作業用の液面センサ（１５，１６，１７）よりも上方、かつ前記回転軸（５）よりも上方に位置せしめて洗浄液面用のセンサ（１８）が設置されていて、
前記自動制御装置（２０）が、洗浄液面用のセンサ（１８）の出力信号を入力されて前記液ポンプ（１３）を制御し、該洗浄液面用センサの位置まで注液できるようになっていることを特徴とする。
【００１９】
請求項５の発明に係る定置洗浄装置の構成は、前記請求項４の発明装置の構成要件に加えて、
（図１参照）前記回転軸（５）付近若しくは、それよりも低い位置に開口するオーバーフローパイプが設けられておらず、
又は、オーバーフローパイプを閉塞してオーバーフロー機能を抑制し得るようになっていることを特徴とする。
【００２０】
請求項６の発明に係る洗濯脱水機の定置洗浄装置の構成は、前記請求項３ないし請求項５の何れかに記載した発明装置の構成要件に加えて、
（図３参照）前記内胴（３）が多孔板製であって円筒形をなしており、その側面または背面に、洗濯物を出し入れし得る内胴扉（３ａ）が設けられていることを特徴とする。
【発明の効果】
【００２１】
請求項１の発明方法を適用すると、外胴の中に、従来技術においては満たすことの無かったハイレベルまで洗浄液を満たした状態で、内胴を回転させて洗浄液を撹拌するので、該洗浄液に乱流を発生する。
この乱流によって洗浄液が外胴の内面に激しく衝突し、微視的な凹部に付着していた異物を剥離させて、外胴内部を隅々まで洗浄する。
この請求項１に係る発明方法は別段の専用装置を設けるに及ばず、基本構造の濯脱水機を用い、本発明に係る液面制御を行なうことによって遂行することができる。
【００２２】
請求項２の発明方法を適用すると、内胴に接触するレベル（図２における符号Ｗ′）まで洗浄液を入れた状態で、内胴の中に洗濯物もしくはこれに類似する吸水性の物体を入れ、内胴を遠心力１Ｇ以上で高速回転させるので、内胴内の吸水性物体は内胴３と一緒に円を描いて回転し、
円の下方へ回って来たとき洗浄液に触れて、これを吸収する。そして、円の上半部を通過する際、含有していた洗浄液が遠心力で振り切られて飛散し、外胴の内面に激しく衝突する。
この衝突によって、外胴内面の微視的な凹部に付着していた異物が剥がされて除去される。
この請求項２に係る発明方法は別段の専用装置を設けるに及ばず、基本構造の濯脱水機と適宜の吸水性物体（洗濯物またはダミー洗濯物）とを用い、本発明に係る回転速度制御を行なうことによって遂行することができる。
【００２３】
請求項３の発明装置を適用すると、従来技術では考えられなかったハイレベルに洗浄液面を設定して内胴を回転させることにより洗浄液を撹拌して乱流を発生せしめ、この乱流によって清浄液を外胴の内面に激しく衝突させることができる。
外胴内周面の微視的な凹部に付着していた異物がこの衝突によって剥離し、外胴内部が隅々まで洗浄される。
この請求項３に係る発明装置は別段の専用装置を設けるに及ばず、基本構造の洗濯脱水機を用い、本発明に係る液面制御機構を付加することによって構成することができるので、洗濯脱水機を大型化、大重量化、複雑化させることなく、低コストで製作することができる。
【００２４】
請求項３の発明装置に請求項４の発明装置を併せて適用すると、
洗濯脱水機に本来的に設けられている洗濯作業用及び又はすすぎ作業用の液面センサに加えて、洗浄液面用のセンサを設けるという簡単な構成により、
洗濯脱水機に本来的に設けられている自動制御装置に所要のプログラムを与えて、洗浄液面センサの出力信号により液ポンプを制御し、洗浄液面用センサの位置まで注液できるので、請求項３の発明装置を低コストで構成することができる。
【００２５】
請求項４の発明装置の構成要件に加えて請求項５の発明装置を適用すると、
回転軸付近以下に開口するオーバーフローパイプが設けられておらず、又はオーバーフローパイプを閉塞してオーバーフロー機能を抑制し得るようになっているので、本発明装置による液面制御がオーバーフローパイプによって乱される虞れが無く、確実に機能して完全な洗浄機能を発揮する。
【００２６】
請求項３ないし請求項５の何れかに記載した発明装置の構成要件に加えて 請求項６の発明装置を適用すると、
多孔板製円筒形の内胴の側面に、洗濯物を出し入れし得る内胴扉が設けられているので、次の理由により、洗濯・脱水済みの洗濯物を再汚染する虞れ無く、清浄ゾーンに搬出することができる。
従来例の洗濯脱水機において本来的に設けられている洗濯物投入用の開口付近は、未洗濯の衣類に触れるので、必然的に汚染されているから、この開口から洗濯・脱水済みの衣類を取り出すと汚染されてしまうことは明らかである。本請求項６を適用して内胴の側面に扉を設けて、この内胴扉から洗濯・脱水済みの衣類を取り出すと、再汚染される虞れ無く清浄ゾーンに搬出することができる。
【発明を実施するための最良の形態】
【００２７】
図１は、本発明に係る定置洗浄装置の１実施形態を模式的に描いた制御，配管系統図である。
前掲の図５に示した従来例に比して、異なる点を抽出して説明すると下記のとおりである。
従来から設けられているところの、低位液面Ｌを検知するための低位液面センサ１５、中位液面Ｍを検知するための中位液面センサ１６、及び高位液面Ｈを検知するための高位液面センサ１７以外に、
本発明を適用してそれよりも高い位置に、かつ回転軸５よりもハイレベルに位置せしめて洗浄液面センサ１８が設けられている。
【００２８】
上記洗浄液面センサ１８の出力信号は自動制御装置２０に入力される。
該自動制御装置は液ポンプ１３を駆動制御して、外胴２内の洗浄液面Ｗをハイレベルに保つ。
本発明を実施する際、洗浄液面Ｗを外胴２の天井面に設定して、外胴２内を洗浄液で充満させるように構成しても良い。この場合は、洗浄液面センサ１８の設置を省略することもできる。
本例における洗浄液は、洗剤とアルカリ剤とキレート剤とを混合して調製した。本発明を実施する際、公知の洗浄液を任意に選定して用いることができる。
前記の洗浄液として、８０度〜９０度の熱水を用いることもできる。熱水は、入手及び後始末が容易である上に、滅菌作用が得られるので望ましい。
【００２９】
従来例（図５）に設けられていたオーバーフローパイプ１９は、これを設けない。省略するといった消極的な意味ではなく、積極的な意図を以って削除した。
何らかの事情によってオーバーフローパイプを設けたい場合は、該オーバーフローパイプに弁手段を設けるなどして、オーバーフロー機能を抑制できるようにしておき、洗浄作業に際しては洗浄液がオーバーフローしないようにすれば良い。
ただし、内胴３内に洗浄液を注入する際に内胴の上部空間内の空気を逃がす手段（図示省略）を設けておくことが望ましい。
【００３０】
上述のようにして外胴２内の洗浄液面を上昇させておいて内胴３を回転させると、洗浄液が撹拌されて乱流を生じる。
イ．洗浄液面Ｗ付近、および、これよりも下方に位置する外胴内面は洗浄液の激しい乱流を受ける。
すなわち、局部的に洗浄液の衝突を受ける。
衝突した洗浄液は、外胴内面の微視的な凹部に付着している異物を剥がし取って除去する。異物の除去によって外胴内面が完全に清浄となる。
ロ．洗浄液面Ｗよりも上方の外胴内面は、回転する内胴３によって洗浄液を撥ね掛けられる。
すなわち、局部的に洗浄液の衝突を受ける。衝突した洗浄液は、外胴内面の微視的な凹部に付着している異物を剥がし取って除去する。異物の除去によって外胴内面が完全に清浄となる。
【００３１】
外胴内面の微視的な凹部に有機異物を付着させたままでは、消毒薬剤で完全滅菌しても、
残留した有機異物を栄養源として再び雑菌が繁殖する。
こうした事情を勘案すると、本実施形態における異物除去効果の実用的な価値は非常に大きい。
本発明を実施する際、化学的な溶解力及び殺菌力を有する洗浄液を用いることが望ましい。しかし、本発明は流体力学的に異物を除去するので、どのような洗浄液を用いても洗浄効果を発揮することができる。
【００３２】
図２は、前記と異なる実施形態の定置洗浄方法を説明するため、模式的に描いた正面断面図である。
次に、従来例を描いた図６と対比して差異を述べる。
従来技術においては、図６（Ａ）のように外胴２の中へ洗濯液（又はすすぎ液）１２を入れて内胴３を低速回転させる操作（洗濯作業，又はすすぎ作業に対応）、または図６（Ｂ）のように外胴２の中を空にして内胴３を高速回転させる操作（脱水作業に対応）しか無かった。
これに対して本発明方法（図２）では、外胴２の中へ洗浄液２１を入れた状態で、かつ内胴３の中へ洗濯物（または、これに類似した吸水性の物体：ダミー洗濯物と名付ける）２５を入れて、数百ｒｐｍレベルで高速回転させる。高速回転とは、１Ｇ以上の遠心力を生じる回転速度をいう。
【００３３】
上述のように、外胴２の中に洗浄液を入れて内胴３を高速回転させることは、従来技術においては考えられなかった操作である。
なお、上記の「外胴２の中へ洗浄液を入れる」とは、内胴の下部が浸される程度に洗浄液を入れる意である。
ダミー洗濯物２５は円を描いて内胴３と一緒に回転し、洗浄液面Ｗ′の下方を潜り抜ける間に濡れて洗浄液を吸収し、洗浄液面Ｗ′から上昇すると、高速回転の遠心力によって洗浄液を振り飛ばされる。
【００３４】
多数の洗浄液滴２３が破線矢印のように飛散して、外胴２の内周面に激しく衝突する。衝突した洗浄液滴は、外胴内面の微視的な凹部に付着している異物を剥がし取って完全に除去する。
異物の完全除去によって外胴の内面が清浄となる。
本実施形態における洗浄液面Ｗ′のレベルは、ダミー洗濯物２５の回転軌跡円の下方が洗浄液面Ｗ′と交わる程度に設定する。
ダミー洗濯物２５が回転して下方へ来たとき、洗浄液２１の中を潜って濡れなければ、上方を通過する際に洗浄液滴２３を飛ばすことができないから、「ダミー洗濯物２５が洗浄液２１で濡らされること」が必要条件である。
しかし、洗浄液面Ｗ′が必要以上に高くても内胴３の回転抵抗を増すだけであるから、
回転軸５よりも低く設定することが望ましい。
【００３５】
ダミー洗濯物２５が内胴３と一緒に回転し、かつ、含まれている洗浄液滴２３を飛散させるためには、内胴３（ダミー洗濯物２５）に与えられる遠心力が１Ｇを超えることが必要条件である。
洗濯脱水機は遠心脱水作業を行うため、本来的に１Ｇを超えて高速回転し得るように構成されているので、従来技術に係る洗濯脱水機を用いて図２の発明方法を実施するために、大きい改造を必要としない。
すなわち、内胴回転速度の制御機構と液面制御機構との作動パターン設定を変更すれば足りる。
実施が極めて容易であることも、図２に示した実施形態の発明方法（請求項２）の長所の一つである。
【００３６】
図３は、本発明装置の１実施形態における外胴２と内胴３とを抽出して模式的に描いた斜視図である。
内胴３は、多孔板で円筒形に形成されていて、その側面に内胴扉３ａが設けられている。符号３ｂを付して示したのはヒンジである。
従来例（図４）におけると同様に、洗濯物を矢印Ａのように内胴３内へ投入し、洗濯・脱水操作を終えてから、内胴扉３ａを開いて洗濯脱水済み衣類を矢印Ｃ′のように、衣類の投入経路（矢印Ａ）と異なる経路（矢印Ｃ′）で搬出することもできる。
また、内胴扉３ａを開いて衣類を入れ（矢印Ｃ）、洗濯脱水済みの衣類を矢印Ａ′のように取り出しても良い。
図示を省略するが、内胴３の背面（図において隠れている右側の面）に内胴扉を設けて、矢印Ｄのように背面から衣類を投入し、洗濯脱水済みの衣類を矢印Ｄ′のように側方へ取り出しても良い。
上記のようにして、本実施形態においては清浄ゾーンと汚染ゾーンとを厳密に区画することができる。
こうした効果は、請求項３に係る発明装置の洗浄効果と相俟って、病院設備、半導体工業などの要望に応え得るものである。
【図面の簡単な説明】
【００３７】
【図１】本発明に係る定置洗浄方法を実施するために構成した定置洗浄装置の１実施形態を示し、模式的に描いた断面図に制御系統及び配管系統を付記した図であって、請求項１及び請求項３、同４、同５に対応する。
【図２】本発明に係る定置洗浄方法を説明するために示したもので、洗濯脱水機の模式的な断面図であり、請求項２に対応する。
【図３】本発明に係る定置洗浄装置における外胴と内胴とを抽出して模式的に描いた斜視図であって、請求項６に対応する。
【図４】従来例の定置洗浄装置を示し、模式的に描いた断面図である。
【図５】上記従来例の定置洗浄装置における液面制御系統および配管系統を抽出して描いた模式図である。
【図６】従来例の洗濯機脱水機における内胴の回転速度と外胴内液面との関係を説明するために示したものであって、（Ａ）は洗濯又はすすぎ工程を描いた断面図、（Ｂ）は脱水工程を描いた断面図である。
【符号の説明】
【００３８】
１…ケース
２…外胴
３…内胴
３ａ…内胴扉
３ｂ…ヒンジ
４…ドア
５…回転軸
６…軸受
７…被動プーリ
８…ベルト
９…駆動プーリ
１０…駆動モータ
１１…フレーム
１２…洗濯液（又はすすぎ液）
１３…液ポンプ
１４…電磁弁
１５…低位液面センサ
１６…中位液面センサ
１７…高位液面センサ
１８…洗浄液面センサ
１９…オーバーフローパイプ
２０…自動制御装置
２１…洗浄液
２２…洗濯物
２３…洗浄液滴
２４…排水
２５…ダミー洗濯物（吸水性を有する物体）
Ａ…洗濯物の投入を表す矢印
Ｂ…洗濯物の排出を表す矢印
Ｃ…洗濯物の搬出を表す矢印
Ｆ…洗濯物の落下を表す矢印
Ｈ…高位液面
Ｌ…低位液面
ｍ…ポンプ駆動モータ
Ｍ…中位液面
Ｗ…洗浄液面
Ｘ―Ｘ…回転軸の中心線
【図１】
0005024706.tif 000002
【図２】
0005024706.tif 000003
【図３】
0005024706.tif 000004
【図４】
0005024706.tif 000005
【図５】
0005024706.tif 000006
【図６】
0005024706.tif 000007